(57)【要約】【課題】施工者の技量にかかわらず、仕上がり具合にばらつきが生じにくく、また高い止水性を確保することができる棟違い屋根用けらば部材を提供する。【解決手段】本発明は、第一屋根１のけらばに第二屋根２の平棟が接続された棟違い屋根のけらばに取り付けられるけらば部材５である。このけらば部材５は、第一屋根１のけらばに沿って取り付けられた化粧材の水下側の端部と、第二屋根２の棟包み３とを接続するように構成されたものである。本発明のけらば部材５は、けらばの側方に配置される側面部５３を備えている。この側面部５３には、切欠部５７と、受け片５８とが形成されている。切欠部５７は、第二屋根２の棟包み３の外形に沿って形成されている。受け片５８は、けらば部材５と棟包み３との間に配置されるパッキン材を受けるために切欠部５７の端縁に沿って設けられている。【選択図】図１
2015113658.tif 000002
【特許請求の範囲】
【請求項１】
第一屋根のけらばに第二屋根の平棟が接続された棟違い屋根の前記けらばに取り付けられるけらば部材であって、
前記第二屋根の平棟が接続された前記第一屋根のけらばに沿って取り付けられた化粧材の水下側の端部と、前記第二屋根の平棟の棟包みとを接続するように構成されたものであり、
当該けらば部材は前記けらばの側方に配置される側面部を備え、
この側面部には、
前記第二屋根の棟包みの外形に沿って形成された切欠部と、
当該けらば部材と前記棟包みとの間に配置されるパッキン材を受けるために前記切欠部の端縁に沿って設けられた受け片と
が形成されている
ことを特徴とする棟違い屋根用けらば部材。
【発明の詳細な説明】
【技術分野】
【０００１】
本発明は、棟違い屋根のけらばに取り付けられるけらば部材に関する。
【背景技術】
【０００２】
第一屋根のけらばに第二屋根の平棟が接続された棟違い屋根が存在する（例えば、特許文献１参照）。
【０００３】
この種の棟違い屋根は、第一屋根の第１の平棟と、第二屋根の第２の平棟とを備えている。第２の平棟は、第１の平棟よりも下方に配置されている（図２参照）。
【０００４】
この第一屋根のけらばには、けらば化粧材が取り付けられる。けらば化粧材は、第一屋根のけらばを屋根勾配方向の全長に亙って覆う。この第一屋根のけらばに取り付けられるけらば化粧材は、第１の平棟から第２の平棟に亙るけらばにも取り付けられる。
【先行技術文献】
【特許文献】
【０００５】
【特許文献１】特開２００３−３２８４９１号公報
【発明の概要】
【発明が解決しようとする課題】
【０００６】
ところで、この第２の平棟には棟包みが取り付けられる。この棟包みは、第２の平棟の全長に亙って設けられている。この棟包みの第一屋根側の端部は、第１の平棟から第２の平棟に亙るけらばのけらば化粧材に接続される。
【０００７】
このけらば化粧材と棟包みとを接続するに当たっては、施工時において、施工者が現場で、けらば化粧材を加工することで行われていた。すなわち、このけらば化粧材は、けらばの屋根勾配方向の全長に亙って一体成形された物であるため、施工者は、現場において水下側の端部を棟包みの形状に適合するように切断する必要がある。そして、施工者は、切断加工後、棟包みにけらば化粧材の切断箇所を合わせ、この状態で、けらば化粧材と棟包みとの間をシーリング材で埋めるように施工する。
【０００８】
しかしながら、このような現場における作業は、施工者の技量によって仕上がり具合にばらつきが生じる。このため、従来の構造では、場合によっては、十分な止水性能が発揮できずに浸水が生じる可能性がある。
【０００９】
本発明は、上記事情に鑑みてなされたものであり、その目的とするところは、施工者の技量にかかわらず、仕上がり具合にばらつきが生じにくく、また高い止水性を確保することができる棟違い屋根用けらば部材を提供することにある。
【課題を解決するための手段】
【００１０】
本発明の棟違い屋根用けらば部材は、第一屋根のけらばに第二屋根の平棟が接続された棟違い屋根の前記けらばに取り付けられるけらば部材であって、前記第二屋根の平棟が接続された前記第一屋根のけらばに沿って取り付けられた化粧材の水下側の端部と、前記第二屋根の平棟の棟包みとを接続するように構成されたものであり、当該けらば部材は前記けらばの側方に配置される側面部を備え、この側面部には、前記第二屋根の棟包みの外形に沿って形成された切欠部と、当該けらば部材と前記棟包みとの間に配置されるパッキン材を受けるために前記切欠部の端縁に沿って設けられた受け片とが形成されていることを特徴とする。
【発明の効果】
【００１１】
本発明の棟違い屋根用けらば部材によれば、棟包みの外形に沿った切欠部と受け片とが、予め設けられているため、施工状態にばらつきが生じにくく、パッキン材を配置することができる。このため、施工者の技量にかかわらず、仕上がり具合にばらつきが生じにくく、また高い止水性を確保することができる。
【図面の簡単な説明】
【００１２】
【図１】本実施形態の棟違い屋根用けらば部材が、棟違い屋根に取り付けられた状態の斜視図であり、図２のＡ部分の拡大図である。
【図２】本実施形態の棟違い屋根の全体斜視図である。
【図３】本実施形態の棟違い屋根用けらば部材の斜視図である。
【図４】本実施形態の棟違い屋根用けらば部材の側面図である。
【図５】本実施形態のジョイント部材の斜視図である。
【発明を実施するための形態】
【００１３】
以下、本発明の実施形態について添付図面に基づいて説明する。
【００１４】
本実施形態の棟違い屋根用けらば部材（以下、単に「けらば部材５」という）は、図２に示すような、いわゆる棟違い屋根に取り付けられる。棟違い屋根は、第一屋根１と、第二屋根２とを備えている。第一屋根１と第二屋根２とは、軒方向（桁行方向）に隣接している。第一屋根１の屋根面のうちの一方の屋根面（第１の屋根面１２）と、第二屋根２の屋根面のうちの一方の屋根面（第１の屋根面２１）とは面一に形成されている。
【００１５】
第一屋根１の棟と第二屋根２の棟には、それぞれ平棟が設けられる（以下、第一屋根１の平棟を第１の平棟１４といい、第二屋根２の平棟を第２の平棟２３という）。第１の平棟１４は、第２の平棟２３に平行である。第２の平棟２３は、第１の平棟１４よりも下方に設けられている。第２の平棟２３は、第一屋根１における第二屋根２側のけらばに接続されている。
【００１６】
本実施形態のけらば部材５は、第１の平棟１４と第２の平棟２３とに亙るけらば（以下、特記なき場合、「けらば」といえば、この箇所のけらばをいう）に設けられる。
【００１７】
第一屋根１は、図１に示すように、複数の屋根材１１を備えている。屋根材１１は、金属屋根材によって構成されている。金属屋根材としては、例えば、折板屋根材や、軒方向に凹凸が繰り返し形成された凹凸屋根材などによって構成される。なお、本実施形態の屋根材１１は、金属製の凹凸屋根材によって構成される。
【００１８】
第二屋根２も、第一屋根１と同様、複数の屋根材１１を備えている。また、この屋根材１１も、第一屋根１の屋根材１１と同様、金属屋根材によって構成されている。
【００１９】
第２の平棟２３には、棟包み３が設置されている。棟包み３は、第一傾斜部３１と、第二傾斜部３２とを備えており、断面山形形状に形成される。第一傾斜部３１は、第二屋根２の一方側の屋根面（第１の屋根面２１）に沿って傾斜している。第二傾斜部３２は、第二屋根２の第１の屋根面２１とは反対側の屋根面（第２の屋根面２２）に沿って傾斜している。この棟包み３は、第２の平棟２３の全長に亙って設けられている。
【００２０】
なお、本実施形態の棟包み３は、第一屋根１に隣接配置される短尺の棟包み部３３と、それ以外の箇所に配置される長尺の棟包み部３４とによって構成される。この短尺の棟包み部３３と長尺の棟包み部３４とは、第２の平棟２３に直線状に連続するように配置される。
【００２１】
第一屋根１のけらばには、けらば化粧材４が設置される。けらば化粧材４は、天面部４１と垂下片４２と側面部４３と底面部４４とを備え、断面Ｃ字状に形成されている。天面部４１は、第一屋根１のけらばの上面に沿って配置される。天面部４１は、軒方向に幅を、屋根勾配方向に長さを有する。垂下片４２は、天面部４１の幅方向において、第一屋根１側の先端から下方に向かって突出している。側面部４３は、天面部４１の幅方向において、第二屋根２側の先端から下方に向かって突出し、第一屋根１のけらばの側面に沿って配置される。底面部４４は、側面部４３の下端から第一屋根１側に向かって突出し、第一屋根１のけらばの下面に沿って配置される。これにより、けらば化粧材４は、第一屋根１の第二屋根２側のけらばを覆う。
【００２２】
けらば化粧材４は、屋根勾配方向に長さを有している。けらば化粧材４は、第１の平棟１４から第２の平棟２３までの略全長に亙って設けられており、長さ方向に一体成形されている。
【００２３】
本実施形態のけらば部材５は、けらば化粧材４の水下側の端部（つまり、長さ方向における第２の平棟２３側の端部）と、第２の平棟２３の棟包み３とを接続するよう構成されている。
【００２４】
けらば部材５は、図３に示すように、上面部５１と、垂下片５２と、側面部５３と、底面部５４と、端面部５５とを備えている。上面部５１は、軒方向に幅を、屋根勾配方向に長さを有している。上面部５１は、けらば化粧材４の天面部４１に平行となるよう配置される。上面部５１は、けらば部材５がけらば化粧材４の水下側の端部に接続されると、天面部４１と面一となる。
【００２５】
垂下片５２は、上面部５１の幅方向において、第一屋根１側の端部から下方に向かって突出している。垂下片５２は、けらば部材５がけらば化粧材４の水下側の端部に接続されると、けらば化粧材４の垂下片４２と面一となる。
【００２６】
側面部５３は、上面部５１の幅方向において、第二屋根２側の端部から下方に向かって突出している。側面部５３は、けらば部材５がけらば化粧材４の水下側の端部に接続されると、けらば化粧材４の側面部４３と面一となる。
【００２７】
このけらば部材５の側面部５３には、切欠部５７と、受け片５８とが設けられている。切欠部５７は、第二屋根２の棟包み３の外形に沿って切欠されて構成されている。つまり、切欠部５７の端縁は、第二屋根２の棟包み３に適合する。
【００２８】
受け片５８は、切欠部５７の端縁に沿って設けられている。受け片５８は、軒方向に幅を有し、切欠部５７の端縁に沿って長さを有する。受け片５８の幅方向は、側面部５３の表面に直交している。受け片５８は、図４に示すように、棟包み３の第一傾斜部３１と第二傾斜部３２に対向するように設けられており、パッキン材を受けるために設けられている。受け片５８は、側面部５３に固着具を介して固定されている。
【００２９】
なお、受け片５８は、側面部５３を曲げ加工することで形成されたものであってもよい。また、受け片５８に取り付けられるパッキン材は、製造時に予め受け片５８に貼着されてもよいし、現場において施工時に施工者によって配置されてもよい。
【００３０】
底面部５４は、図３に示すように、側面部５３の下端から第一屋根１側に向かって突出している。底面部５４は、けらば部材５がけらば化粧材４の水下側の端部に接続されると、けらば化粧材４の底面部４４と面一となる。
【００３１】
また、底面部５４の第一屋根１側の先端には、立上片５６が設けられている。立上片５６は、底面部５４の当該先端から上方に向かって突出している。
【００３２】
端面部５５は、上面部５１と垂下片５２との水下側の端部に設けられている。端面部５５は、上面部５１と垂下片５２との両者に直交している。
【００３３】
このような構成のけらば部材５は、図５に示すようなジョイント部材６を介して、けらば化粧材４の水下側の端部に接続される。ジョイント部材６は、けらば化粧材４およびけらば部材５の内側に配置される部材である。ジョイントの外形は、けらば化粧材４およびけらば部材５の内面形状に一致する。
【００３４】
ジョイントには、第一固定部６１と第二固定部６２とが設けられている。第一固定部６１には、けらば化粧材４が固定される。第二固定部６２には、けらば部材５が固定される。この第一固定部６１と第二固定部６２とは、例えば貫通孔によって構成される。
【００３５】
本実施形態のけらば部材５は、このジョイント部材６を用いて、次のように取り付け施工される。
【００３６】
施工者は、第一屋根１のけらばにけらば化粧材４を設置する。また、施工者は、第二の平棟に棟包み３を設置する。
【００３７】
次いで施工者は、ジョイント部材６をけらば化粧材４の水下側の端部に取り付ける。この後、施工者は、けらば部材５を、けらば化粧材４の水下側の端部から突出したジョイント部材６に重ねるようにして配置する。そして、施工者は、ジョイント部材６とけらば部材５とを固定する。
【００３８】
このとき、施工者は、受け片５８と棟包み３との間にパッキン材を配置する。そして施工者は、棟包み３と受け片５８との間の隙間にシーリング材を充填する。
【００３９】
以上、説明したように、本実施形態のけらば部材５は、第一屋根１のけらばに第二屋根２の平棟が接続された棟違い屋根のけらばに取り付けられるものである。このけらば部材５は、けらば化粧材４の水下側の端部と、第二屋根２の平棟の棟包み３とを接続するように構成されている。けらば化粧材４は、第二屋根２の平棟が接続された第一屋根１のけらばに沿って取り付けられている。また、このけらば部材５は、けらばの側方に配置される側面部５３を備えている。この側面部５３には、切欠部５７と、受け片５８とが形成されている。切欠部５７は、第二屋根２の棟包み３の外形に沿って切欠されたものである。受け片５８は、けらば部材５と棟包み３との間に配置されるパッキン材を受けるためのものであり、切欠部５７の端縁に沿って設けられている。
【００４０】
このため、本実施形態のけらば部材５は、予め、棟包み３の外形に沿った切欠部５７と、受け片５８とが設けられており、簡単な施工によって取り付けることができるため、施工者の技量によって施工状態にばらつきが生じにくい。また、受け片５８とパッキン材とにより、高い止水性能が確保できるから、施工者の技量によらず、一定以上の止水性を確保することができる。
【００４１】
また、本実施形態のけらば部材５は、受け片５８が設けられているため、施工時に、棟包み３とけらば部材５との間の隙間にシーリング材を施工した場合には、受け片５８によってシーリング材がバックアップされる。これにより、一層、止水性の向上を図ることができる。
【符号の説明】
【００４２】
１      第一屋根
１１    屋根材
１４    第１の平棟
２      第二屋根
２３    第２の平棟
３      棟包み
４      けらば化粧材
５      けらば部材
５１    上面部
５２    垂下片
５３    側面部
５４    底面部
５５    端面部
５６    立上片
５７    切欠部
５８    受け片
６      ジョイント部材
【図１】
2015113658.tif 000003
【図２】
2015113658.tif 000004
【図３】
2015113658.tif 000005
【図４】
2015113658.tif 000006
【図５】
2015113658.tif 000007